(57)【要約】      （修正有）【課題】墓前での法要等の際に参道から合掌する参列者を日除け，雨除けする機能を備え、安定的に設置することができて参列者の移動の邪魔にならず墓前での法要等を円滑に催行できる墓を提供する。【解決手段】墓の構造体の一部の上面から底面に向けて直線状に取付穴４が空けられ、取付穴４は日除け，雨除けのための傘状の覆い部５ａを上部に有する１本の直線状の支柱５ｂを挿通させて起立支持するのに充分な深さを持たせて構成している。【選択図】図１
0003173049.tif 000002
【実用新案登録請求の範囲】
【請求項１】
墓の構造体の一部の上面から底面に向けて直線状に取付穴が空けられ、取付穴は日除け，雨除けのための傘状の覆い部を上部に有する１本の直線状の支柱を挿通させて起立支持するのに充分な深さを有している墓。
【考案の詳細な説明】
【技術分野】
【０００１】
本考案は、墓前での法要等の際に参道から合掌する参列者を日除け，雨除けすることのできる墓に係る技術分野に属する。 
【背景技術】
【０００２】
墓前での法要等の際には、各参列者が各自に雨傘，日傘を持って日除け，雨除けしている。然しながら、参道から合掌する時には、両手が解放されていることが必要であることから、雨傘，日傘を折畳んで外柵の脇に立掛ける等しなければならなくなる。参道から合掌する参列者は、自らを日除け，雨除けすることが不能になるのである。このため、他の参列者が参道から合掌する参列者に対して側方から雨傘，日傘をかざすことが行われているという状況がある。
【０００３】
このような状況から、墓前での法要等の際に参道から合掌する参列者を日除け，雨除けする機能を備えた墓の開発が要望されるようになってきている。 
【０００４】
従来、墓前での法要等の際に参道から合掌する参列者を日除け，雨除けすることを指向した技術としては、例えば、特許文献１に記載のものが知られている。 
【０００５】
特許文献１には、複数本の支柱の間に日除け，雨除けのための幕部材を張設した簡易テントが記載されている。 
【０００６】
特許文献１に係る簡易テントは、参道の上方を幕部材で覆うように架設することで、参道から合掌する参列者を日除け，雨除けするものである。 
【先行技術文献】
【特許文献】
【０００７】
【特許文献１】特開２００８−２３１８３３号公報
【考案の概要】
【考案が解決しようとする課題】
【０００８】
特許文献１に係る簡易テントでは、参道の周囲に支柱を設置することになるが、参道は大概幅が狭いため支柱が参列者（特に、車椅子の使用者）の移動の邪魔になって墓前での法要等を円滑に催行することができないという問題点がある。また、参道の周囲が整地されていなかったり小石が転がっていたりして、安定的に架設することができないという問題点がある。
【０００９】
本考案は、このような問題点を考慮してなされたもので、墓前での法要等の際に参道から合掌する参列者を日除け，雨除けする機能を備え、安定的に設置することができて参列者の移動の邪魔にならず墓前での法要等を円滑に催行することのできる墓を提供することを課題とする。
【課題を解決するための手段】
【００１０】
前述の課題を解決するため、本考案に係る墓は、実用新案登録請求の範囲に記載のように、墓の構造体の一部の上面から底面に向けて直線状に取付穴が空けられ、取付穴は日除け，雨除けのための傘状の覆い部を上部に有する１本の直線状の支柱を挿通させて起立支持するのに充分な深さを持たせて構成している。  
【００１１】
この手段では、墓の構造体の一部に空けられた取付穴に日除け，雨除け部材の支柱が挿通されて設置され、この日除け，雨除け部材の覆い部が墓前での法要等の際に参道から合掌する参列者を日除け，雨除けすることができる。
【考案の効果】
【００１２】
本考案に係る墓は、雨除け部材の支柱が取付穴に挿通されて設置された日除け，雨除け部材の覆い部によって墓前での法要等の際に参道から合掌する参列者を日除け，雨除けするため、法要等の際に参道から合掌する参列者を日除け，雨除けする機能を備え、安定的に設置することができて参列者の移動の邪魔にならず墓前での法要等を円滑に催行することができる効果がある。
【図面の簡単な説明】
【００１３】
【図１】本考案に係る墓を実施する形態の第１例の分解状態の斜視図である。
【図２】図１の要部の拡大縦断面図である。
【図３】図２における日除け，雨除け部材の設置状態図である。
【図４】図１における日除け，雨除け部材の設置状態の斜視図である。
【図５】本考案に係る墓を実施するための形態の第２例の要部の縦断面図である。
【図６】取付穴を蓋するキャップに代えて花立とするときの斜視図である。
【図７】墓の構造体の様々な例を示す斜視図である。
【図８】本考案に係る墓を実施する形態の第３例の斜視図である。
【考案を実施するための形態】
【００１４】
以下、本考案に係る墓を実施する形態を図面に基づいて説明する。 
【００１５】
図１〜図４は、本考案に係る墓を実施する形態の第１例を示すものである。 
【００１６】
第１例では、墓の構造体を成す墓石１と外柵２のうち外柵２の前方側に１，２名程度の参列者が同時に立つことのできる参道３が設けられた小規模，中規模からなるものが示されている。
【００１７】
第１例では、図１に示すように、外柵２の前方側に取付穴４が空けられた構成になっている。 
【００１８】
取付穴４は、外柵２の中実状の親柱の上面２１から底面２２に向けて直線状に堀込まれて空けられている。取付穴４の深さＨは、図２に示すように、外柵２の親柱の底面２２近くにまで到達するようになっていて、傘状の日除け，雨除け部材５を起立させて支持することが充分できるものとなっている。日除け，雨除け部材５は、ビーチパラソルのように、日除け，雨除けのための覆い部５ａが１本の直線状の支柱５ｂの上部に取付けられて成る。この日除け，雨除け部材５は、支柱５ｂを取付穴４に挿通することによって起立して支持されることになる。
【００１９】
取付穴４の上端部には、内部への土砂等の浸入を防止するための嵌合着脱可能なキャップ６が取付けられる。あるいは図６、図７及び図８に示すようにキャップ６に代えて花立１３が取り付けられる。花立１３は花束１４を保持する。
【００２０】
取付穴４の下端部には、外柵２の側板２３の側面へ向けて下降傾斜して開口される水抜孔７が連通されている。水抜孔７の外柵２の側板２３の開口端には、内部への虫等の浸入を防止するメッシュ状の蓋８が嵌合取付けられる。
【００２１】
第１例を使用するには、図３に示すように、取付穴４からキャップ６または花立１３を取り外して、取付孔４に日除け，雨除け部材５の支柱５ｂを挿入する。このとき、取付孔４の内部の空気が水抜孔７を介して外柵２の外部に排出されるため、取付孔４の内部の空気の圧力で日除け，雨除け部材５の支柱５ｂの挿入が不能になるようなことはない。また、使用前に取付穴４にキャップ６または花立１３が取付けられているため、取付穴４の内部に浸入した水によって日除け，雨除け部材５の支柱５ｂの挿入が不能になるようなことはない。なお、仮に取付穴４の内部に水が浸入したとしても、水抜孔７から排出されて取付穴４の内部に滞溜することはない。
【００２２】
取付孔４に日除け，雨除け部材５の支柱５ｂが挿入されると、図４に示すように、日除け，雨除け部材５の支柱５ｂの上部に位置する覆い部５ａが墓石１，外柵２の一部と参道３の大部分とを覆うことになる。なお、日除け，雨除け部材５の覆い部５ａが折畳み可能な構成となっている場合には、取付穴４へ支柱５ｂを挿入する前または後のいずれかの時点で覆い部５ａを展開させることになる。日除け，雨除け部材５の覆い部５ａが折畳み可能な構成とされると、不使用時の日除け，雨除け部材５の収納が容易になる。
【００２３】
この結果、日除け，雨除け部材５の覆い部５ａによって参道３から合掌する参列者を日除け，雨除けすることができることになる。 
【００２４】
参道３から合掌する参列者を日除け，雨除けする日除け，雨除け部材５は、支柱５ｂが外柵２に空けられた取付穴４に挿入されることで設置されている。従って、参列者の移動の邪魔にならず墓前での法要等を円滑に催行することができる。また、設置された日除け，雨除け部材５の支柱５ｂが外柵２に空けられた取付穴４にかなりの深さＨで挿入されているため、多少の雨風でもぐらついたりせず設置された姿勢で安定的に維持される。
【００２５】
さらに、第１例では、図１，図４に示すように、支柱９ａの上部をＬ字形に屈曲させて９ｂとし、９ｂ上に台板９を取付けて支柱９ａを取付穴４に挿入し焼香一式を置く台として使用することも可能である。
【００２６】
図５は、本考案に係る墓を実施するための形態の第２例を示すものである。 
【００２７】
第２例は、外柵２の親柱が中空状の場合に適用されるものを示してある。 
【００２８】
即ち、外柵２の親柱の上面（上板）２１に取付穴４を穿孔して取付筒１０を嵌合させ、外柵２の親柱の下面（下板）２２に固定された受座１１で取付筒１０の下端部を支持している。そして、取付筒１０の下端部には、水抜窓１２が開口されている。なお、第１例の水抜孔７に相当する構成は、外柵２の親柱の側面（側板）２３の下面（下板）２２との界面に開口されている。
【００２９】
第２例によると、第１例に比し取付穴４として取付筒１０を加えて前述の深さＨを確保した格好となるため、外柵２の親柱が中空状である場合にも日除け，雨除け部材５の挿入された支柱５ｂを安定的に起立させ支持することができる。
【００３０】
第２例の他の作用効果については、第１例と基本的には同様に奏される。 
【００３１】
図８は本考案に係る墓を実施するための形態の第３例を示すものである。
【００３２】
第３例は、墓の構造体が外柵２を伴わない場合を示してある。
【００３３】
第３例によると、取付穴４は墓石１を載せる台座２４と台座２４を支持する側板２３とを通して設けられる。  
【００３４】
図示しないが、隣接の墓が本願考案の取付穴４を設けられたものである場合、その取付穴４を拝借して日よけ，雨除け部材５の支柱５ｂを挿入し大勢の法事参列者の便に供することも可能となる。
【００３５】
墓の構造体には様々なタイプがある。外柵２も様々ある。図７はそれらの例を示してある。
【符号の説明】
【００３６】
１            墓石 
２            外柵 
３            参道 
４            取付穴 
５            日除け，雨除け部材 
５ａ          覆い部 
５ｂ          支柱 
６            キャップ
７            水抜孔 
Ｈ            深さ 
１３          花立
２３          側板
２４          台座
【図１】
0003173049.tif 000003
【図２】
0003173049.tif 000004
【図３】
0003173049.tif 000005
【図４】
0003173049.tif 000006
【図５】
0003173049.tif 000007
【図６】
0003173049.tif 000008
【図７】
0003173049.tif 000009
【図８】
0003173049.tif 000010